(57)【要約】      （修正有）【課題】左右に長い弾性体と引手の軸をスライダー胴体の上部に取り付け易くすること。【解決手段】スライドファスナー用スライダーは、前後に貫通するスライダー胴体１、スライダー胴体の上面に取り付けられると共に左右に長い弾性体２、弾性体の上方において前後に揺動可能にスライダー胴体に支持される引手３を備える。引手は、左右に延長する軸３１、軸から延長する引手本体３２、軸から突出するカム３３を備える。スライダー胴体の上部には、弾性体を収容する弾性体用凹部が上面に形成された上翼板４１、上翼板の上面であって左右から突出する一対の引手取付柱８を備える。引手取付柱は、対向する前柱８１および後柱８２であって互いの上部が塑性変形されて近接する前柱および後柱、前柱と後柱の間において左右に貫通する軸孔を備える。弾性体用凹部と弾性体は、一対の軸孔の内部に達するまで左右に延長する。【選択図】図２
2017055937.tif 000002
【特許請求の範囲】
【請求項１】
前後に貫通するエレメント通路（１１）を含むスライダー胴体（１）と、
前記スライダー胴体（１）の上面に取り付けられると共に左右方向を長手方向とする弾性体（２）と、
前記弾性体（２）の上方において前後に揺動可能に前記スライダー胴体（１）に支持される引手（３）とを備え、
前記引手（３）は、左右に延長する軸（３１）と、前記軸（３１）からその半径方向外側に延長する引手本体（３２）と、前記軸（３１）からその半径方向外側に突出すると共に前記弾性体（２）を弾性変形させるカム（３３）とを備え、
前記スライダー胴体（１）の上部には、前記弾性体（２）を収容する弾性体用凹部（４３）が上面に形成された上翼板（４）と、前記上翼板（４）の上面であって左右から突出する一対の引手取付柱（８，８）とを備え、
前記引手取付柱（８）は、前後に対向する前柱（８１）および後柱（８２）であって互いの上部が前記軸（３１）の左右の一端部を離脱不能にするように塑性変形されて近接する前記前柱（８１）および前記後柱（８２）と、前記前柱（８１）と前記後柱（８２）の間において左右に貫通する軸孔（８４）とを備え、
前記弾性体用凹部（４３）と前記弾性体（２）は、一対の前記軸孔（８４，８４）の内部に達するまで左右に延長することを特徴とするスライドファスナー用スライダー。
【請求項２】
一対をなす前記前柱（８１）と前記後柱（８２）の下端部同士の前後の対向面は、前記弾性体用凹部（４３）の前後面の一部を形成することを特徴とする請求項１記載のスライドファスナー用スライダー。
【請求項３】
前記弾性体用凹部（４３）と前記弾性体（２）は、一対の前記軸孔（８４，８４）よりも左右外側にまで延長することを特徴とする請求項１又は２記載のスライドファスナー用スライダー。
【請求項４】
前記弾性体用凹部（４３）は、その左右端部に前記弾性体（２）の左右端部を載せる平面部（４３ａ）を、その左右中央部に前記弾性体（２）の左右中央部の湾曲を許容する湾曲許容部（４３ｂ）を備えることを特徴とする請求項１、２、又は３記載のスライドファスナー用スライダー。
【請求項５】
前記上翼板（４）の上面のうち前記弾性体用凹部（４３）の左右外側に、前記軸（３１）の左右端部を載せる軸用凹部（４４）を備え、
前記軸用凹部（４４）の上面は、前記弾性体用凹部（４３）の上に載せた前記弾性体（２）の上面よりも高いことを特徴とする請求項１〜４の何れかに記載のスライドファスナー用スライダー。
【請求項６】
前記上翼板（４）の上面は前記引手本体（３２）を載せる引手用凹部（４５）を備え、
前記引手用凹部（４５）は、左右方向に関しては一対の前記引手取付柱（８，８）の間に位置し、前後方向に関しては前記上翼板（４）の上面の前後方向の一端から他端側へ向かって延長し、上下方向に関しては前記軸用凹部（４４）の上面よりも下側に位置することを特徴とする請求項５に記載のスライドファスナー用スライダー。
【発明の詳細な説明】
【技術分野】
【０００１】
本発明は、スライドファスナー用スライダーであって、スライダー胴体の上面に配置された弾性体を揺動可能な引手で弾性変形させるものに関する。
【背景技術】
【０００２】
スライダーの一例として、前後方向に貫通するエレメント通路を含むスライダー胴体と、スライダー胴体の上面に取り付けられる弾性体と、弾性体の上方において前後に揺動可能にスライダー胴体に支持される引手とを備えるものが存在する（特許文献１，２）。
【０００３】
特許文献１に記載されたスライダーは、引手の軸は左右方向に延長するが、弾性体は前後方向に延長するものである。そしてスライダーを平面視すると、弾性体の前後中央部は軸の真下に位置するが、弾性体の前部および後部は軸よりも前後に張り出して配置される。したがって弾性体は軸で覆われていない部分（目視される部分）が広く、スライダーの外観に大きな影響を与えるようになっている。
【０００４】
特許文献２に記載されたスライダーは、引手の軸と弾性体がいずれも左右方向に延長するものである。そしてスライダーを平面視すると、弾性体はその左右全長に亘って軸の真下に位置していた。したがって特許文献２のスライダーは、特許文献１のスライダーに比べれば、弾性体がスライダーの外観に影響を与えないと言える。
【先行技術文献】
【特許文献】
【０００５】
【特許文献１】実開昭５２−６９３０５号公報
【特許文献２】実公昭５３−２４４０５号公報
【発明の概要】
【発明が解決しようとする課題】
【０００６】
ところで特許文献２のスライダーは、一対の支柱を胴体の上面から突出し、一対の支柱で軸の左右端部を支えている。またこのスライダーは、胴体の上面において凹欠部を一対の支柱の対向面に達するように左右方向に延長してある。言い換えれば各支柱の対向面には凹欠部の左右端部が凹んで形成されており、凹欠部の左右端部の上側と前後と左右外側が、各支柱で覆われた形状となっている。
【０００７】
しかしながら凹欠部の左右端部がこのように覆われていると、引手の軸と弾性体の各々の左右端部を一対の支柱の対向面側に挿入する作業が困難となる。
【０００８】
本発明は上記実情を考慮して創作されたもので、その目的は左右方向に延長する弾性体を用いながらも、引手の軸と弾性体をスライダー胴体の上部に取り付け易くするスライドファスナー用スライダーを提供することである。
【課題を解決するための手段】
【０００９】
本発明のスライドファスナー用スライダーは、スライダー胴体と弾性体と引手とを備える。引手は、弾性体の上方において前後に揺動可能に前記スライダー胴体に支持されるものであり、左右に延長する軸と、軸からその半径方向外側に延長する引手本体と、軸からその半径方向外側に突出すると共に弾性体を弾性変形させるカムとを備える。弾性体はスライダー胴体の上面に取り付けられると共に、左右方向を長手方向とする。スライダー胴体は、前後に貫通するエレメント通路を備えると共に、その上部には、弾性体を収容する弾性体用凹部が上面に形成された上翼板と、上翼板の上面であって左右から突出する一対の引手取付柱とを備える。引手取付柱は、前後に対向する前柱および後柱であって互いの上部が軸の左右の一端部を離脱不能にするように塑性変形されて近接する前柱および後柱と、前柱と後柱の間において左右に貫通する軸孔とを備える。弾性体用凹部と弾性体は、一対の軸孔の内部に達するまで左右に延長するものである。
【００１０】
一対の軸孔の内部、つまり前柱と後柱の間に達するように弾性体用凹部は形成されるので、弾性体用凹部の前後に隙間を介して前柱と後柱が配置されていても良い。ただし前柱と後柱との間に軸を挿入した後に、前柱と後柱を塑性変形させ易くするには次のようにすることが望ましい。
すなわち一対をなす前柱と後柱の下端部同士の前後の対向面は、弾性体用凹部の前後面の一部を形成することである。
【００１１】
弾性体用凹部と弾性体の左右両外側端は一対の軸孔の左右両外側端と同じか、一対の軸孔の左右両外側端よりも内側に位置するものであっても良いが、弾性体を弾性変形し易くするには次のようにすることが望ましい。
すなわち弾性体用凹部と弾性体は一対の軸孔よりも左右外側にまで延長することである。
【００１２】
弾性体用凹部のより具体的な形状としては、次のものがある。
すなわち弾性体用凹部は、その左右端部に弾性体の左右端部を載せる平面部を、その左右中央部に弾性体の左右中央部の湾曲を許容する湾曲許容部を備えるものである。
【００１３】
軸の左右端部は弾性体の上に重ねるように載せるものであってもよいが、弾性体を弾性変形し易くするには次のようにすることが望ましい。
すなわち上翼板の上面は、弾性体用凹部の左右外側に軸の左右端部を載せる軸用凹部を備え、軸用凹部の上面は、弾性体用凹部の上に載せた弾性体の上面よりも高いことである。
【００１４】
引手本体は上翼板の上面に倒伏した状態で載るが、その状態での引手本体の高さをできるだけ低くしつつ、引手本体を安定させるには、次のようにすることが望ましい。
すなわち上翼板の上面は引手本体を載せる引手用凹部を備え、引手用凹部は、左右方向に関しては一対の引手取付柱の間に位置し、前後方向に関しては上翼板の上面の前後方向の一端から他端側へ向かって延長し、上下方向に関しては軸用凹部の上面よりも下側に位置することである。
【発明の効果】
【００１５】
本発明のスライドファスナー用スライダーによれば、引手取付柱を塑性変形可能な前柱と後柱によって形成してあるので、上部が離れている状態の前柱と後柱の間に上から弾性体と引手の軸の左右側部を通し、弾性体を弾性体用凹部に載せることができ、その後、前柱と後柱を塑性変形させるので、組み立て易い。
【００１６】
またスライダーは、一対をなす前柱と後柱の下端部同士の前後の対向面により弾性体用凹部の前後面の一部を形成するものであれば、前柱と後柱の強度が弱くなるので、前柱と後柱との上部を互いに接近するように塑性変形させ易くなる。
【００１７】
またスライダーは、弾性体用凹部と弾性体を一対の軸孔よりも左右外側にまで延長するものであれば、それよりも弾性体用凹部と弾性体の横幅を短くしたスライダーに比べれば、弾性体の横幅を長くでき、弾性体が弾性変形し易くなる。
【００１８】
またスライダーは、弾性体用凹部の左右端部に平面部を、弾性体用凹部の左右中央部に湾曲部を備えるものであれば、弾性体の左右端部が平面部に載るので、弾性体が安定し、外れ難くなる。
【００１９】
また上翼板の上面であって弾性体用凹部の左右外側に軸用凹部を備えるスライダーによれば、弾性体用凹部の上に載せた弾性体の上面よりも軸用凹部の上面を高くしてあるので、弾性体と軸部とが接触せずに済み、弾性体の弾性変形を軸部が邪魔せず、弾性体が弾性変形し易くなる。
【００２０】
また上翼板の上面に引手本体を載せる引手用凹部を備えるスライダーによれば、倒伏させた引手を引手用凹部に安定して載せることができ、しかも引手用凹部の深さぶんだけ引手を低く保持できる。
【図面の簡単な説明】
【００２１】
【図１】本発明の第一実施形態のスライダーを示す斜視図である。
【図２】第一実施形態のスライダーの分解斜視図である。
【図３】組み立て前のスライダー胴体を示す平面図である。
【図４】第一実施形態のスライダーを示す平面図である。
【図５】（ａ）（ｂ）（ｃ）図は、図４のＶ−Ｖ線断面図で且つ（ｂ）（ｃ）図で示す部分を一点鎖線で表した図、引手を直立した場合の軸と弾性体との関係等を示す拡大断面図、引手を前方に倒した場合の支持状態を示す拡大断面図である。
【図６】図４のVI−VI線断面図である。
【図７】（ａ）（ｂ）図は、引手を後方に傾斜させた状態での断面図、Ａ−Ａ線切断部断面図である。
【図８】第一実施形態のスライダーの第一変形例に使用するスライダー胴体を示す平面図である。
【図９】（ａ）（ｂ）図は、第一実施形態のスライダーの第二変形例に使用するスライダー胴体を示す平面図、Ａ−Ａ線切断部断面図である。
【発明を実施するための形態】
【００２２】
本発明の第一実施形態のスライドファスナー用スライダーＳは図１，２に示すように、スライダー胴体１と、スライダー胴体１の上面に取り付けられる弾性体２と、弾性体２の上方で前後に揺動可能にスライダー胴体１に支持される引手３とを備える。スライダー胴体１、弾性体２、引手３は、材料を問わないが、一例としては金属製である。
【００２３】
以後、図４を基準にして、方向を説明する。前後方向とは、スライドファスナーを開閉するためにスライダー胴体１を移動させる方向であり、図４での上下方向である。図４での上方向は、前方向であり、且つスライドファスナーの一対のエレメント列を噛合させる方向である。図４での下方向は、後方向であり、且つ一対のエレメント列を分離させる方向である。左右方向とは、図４での左右方向である。上下方向とは、図４での紙面に対する直交方向であり、上方向とは手前側の方向であり、下方向とは奥側の方向である。
【００２４】
引手３は図１，２，４，５に示すように、左右に延長する軸３１と、軸３１からその半径方向外側に延長する引手本体３２と、軸３１からその半径方向外側であって引手本体３２の延長方向とは異なる方向に突出するカム３３とを備える。
【００２５】
引手本体３２は、指で摘まむ部分であって、長辺と短辺を有する細長い矩形の板状である。また引手本体３２は、板厚方向を向く両面３２ａ，３２ｂを備え、両面３２ａ，３２ｂは、左右方向に平行な面となっている。この両面のうち一面３２ａが引手本体３２を後側に倒伏させたときにスライダー胴体１の上面の後側に対向し、両面のうち他面３２ｂが引手本体３２を前側に倒伏させたときにスライダー胴体１の上面の前側に対向する。また図４，６に示すように引手本体３２のうち短辺方向を向く両面３２ｃ，３２ｃは、左右側面であり、厚み方向を向く両面３２ａ，３２ｂとの近傍部分（角部）３２ｃ１を断面円弧状に膨らむ曲面としてある。また引手本体３２の左右側面３２ｃ，３２ｃは、その厚み方向中央部を最も左右方向外側に張り出した形状としている。
【００２６】
軸３１は円柱状で、その長手方向（左右方向）の中間部が引手本体３２と一体になっており、その長手方向両端部が引手本体３２の両側面３２ｃ，３２ｃから左右に突出している。この長手方向両端部は、スライダー胴体１に回転可能に支持される。
【００２７】
カム３３は、軸３１の長手方向中間部からその半径方向外側であって且つ引手本体３２の板厚方向のうち一面３２ａと同じ側へ突出している。より詳しくは図５（ａ）に示すように、スライダー胴体１の上面の後側に引手本体３２を倒伏させた状態のときにカム３３は、引手本体３２の一面３２ａであって軸３１の中心よりも前方から下方へ向かって突出している。当該一面３２ａに対するカム３３の下方への突出長は、図７に示すように引手本体３２を後方に傾斜させた状態のときに弾性体２を弾性変形させるのに十分な長さであり、カム３３による弾性体２の弾性変形によって引手本体３２を押し込み、後側に倒伏させる。
【００２８】
弾性体２は図２に示すように、板バネであり、一定の厚みの平板であって、短辺に比べて長辺が十分に長い長方形状である。図の例では、短辺に比べて長辺が３倍以上に長くなっている。この板バネ２はスライダー胴体１に取り付けられる。
【００２９】
スライダー胴体１は図１〜６に示すように、上下に間隔をあけて対向する上翼板４及び下翼板５、上翼板４と下翼板５を互いの前部の左右方向中央部で連結する連結柱６、上翼板４及び下翼板５の上下の間隔を狭めるように上翼板４及び下翼板５の少なくとも一方（図では両方）の左右端部から上または下に突出する一対のフランジ７，７と、左右に間隔をあけて対向する状態で上翼板４の上面の前後中央部から突出する一対の引手取付柱８，８とを備えている。
【００３０】
またスライダー胴体１は、その内部空間として、左右方向の中央部には一対のエレメント列を通すエレメント通路１１を備え、左右方向の両端部には、エレメントが取り付けられたテープを通す一対のテープ溝１２，１２を備える。
エレメント通路１１は、前後方向に貫通するもので、後側が横幅の広い一本の通路で、前側が連結柱６によって左右に二又に分岐した二本の通路になっている。またエレメント通路１１よりも上側の部分がスライダー胴体１の上部に相当する。
テープ溝１２は前後方向に貫通すると共に、左右方向については、スライダー胴体１の左右中央側をエレメント通路１１に連通すると共に、スライダー胴体１の左右端側を外部に開口している。
【００３１】
一対の引手取付柱８，８は、左右に間隔をあけて対向するもので、上翼板４の上面の前後中央部から上方に突出している。また引手取付柱８は、前後に間隔をあけて対向する前柱８１と後柱８２とを備える。
引手３を取り付ける前には図２，３に示すように前柱８１と後柱８２の間には、側面視すると上向きに開口するＵ字状の軸挿入溝８３が左右方向に貫通して形成されており、前柱８１と後柱８２の上部の前後間隔は、引手３の軸３１の直径より広くなっている。
いっぽう引手３を取り付けた後には図１，４，５に示すように、前柱８１と後柱８２の上部は互いに接近する方向に塑性変形させられてほぼ接触し、前柱８１と後柱８２との上部の間隔は軸３１の直径よりも狭くなり、軸３１を離脱不能に拘束する。また引手３を取り付けた後には軸挿入溝８３が側面視して環状の軸孔８４になる。そして一対の軸孔８４，８４内で軸３１が回転可能に支持される。
【００３２】
上翼板４は、エレメント通路１１の上方を覆う板状の上翼板本体４１と、上翼板本体４１の上面において凹む凹部４２と、一対の引手取付柱８，８の間において上翼板本体４１の上面から突出すると共に引手３の揺動範囲の前側を定める一対のストッパー部４６，４６とを備える。
【００３３】
凹部４２は図３、図６に示すように、弾性体（板バネ）２を収容する弾性体用凹部（バネ用凹部）４３と、軸３１の左右端部を載せる軸用凹部４４と、後側に倒した状態の引手本体３２を載せる引手用凹部４５とを備える。
【００３４】
バネ用凹部４３は、平面視すると、左右に一直線に延長する矩形状で、その左右長（横幅）は一対の軸孔８４，８４の内部に達する長さであり、その内部に板バネ２を前後に隙間のある状態で収容してある。したがって板バネ２も一対の軸孔８４，８４の内部に達するまで左右に延長している。またバネ用凹部４３の前後長（縦幅）Ｌ２は図５（ｂ）に示すように、板バネ２の前後長（縦幅）Ｌ１よりも僅かに長く、一対をなす前柱８１と後柱８２の下端部同士の前後の間隔に一致しており、それゆえ一対をなす前柱８１と後柱８２の下端部同士の前後の対向面は、バネ用凹部４３の前後面の一部（左右端部）を形成することになる。
【００３５】
またバネ用凹部４３は、その左右端部には板バネ２の左右端部を載せる平面部４３ａを備えると共に、その左右中央部には板バネ２の左右中央部の湾曲を許容する湾曲許容部４３ｂを備える。平面部４３ａは、その左右方向の外側端と内側端が軸挿入溝８３（軸孔８４）の内部（左右に延長する範囲内）にあり、その前後方向の両端が前柱８１と後柱８２の下端部同士の対向面にある。また湾曲許容部４３ｂの左右両端は、一対の平面部４３ａ，４３ａの左右方向の内側端に一致する。また湾曲許容部４３ｂは左右両端から左右中央に向かって徐々に深くなる断面円弧状に形成されている。
【００３６】
軸用凹部４４は図３に示すように、バネ用凹部４３の左右外側に形成され、一対の載置部４４ａ，４４ａから構成される。また平面視すると、軸用凹部４４とバネ用凹部４３は、全体として左右に一直線に延長する矩形状であり、全体としての左右両端（左側の載置部４４ａの左端と右側の載置部４４ａの右端）が一対の引手取付柱８，８の左右両端よりも外側で、上翼板本体４１の左右両端よりも内側に位置する。また軸用凹部４４とバネ用凹部４３の全体としての横幅Ｗ３は、一対の引手取付柱８，８の間隔Ｗ１よりも広く、上翼板本体４１の横幅Ｗ２よりも狭くなっている。
載置部４４ａの底である上面は図６に示すように、バネ用凹部４３の上面よりも高く、バネ用凹部４３に載せた板バネ２の上面よりも高くなるように設定されている。また載置部４４ａの上面は、一対の軸孔８４，８４の下面でもあり、軸３１の左右端部を載せる載置面となる。そして載置部４４ａの上面は図５（ｂ）に示すように、前後両端から前後中央に向かって徐々に深くなる断面円弧状に形成されている。
【００３７】
引手用凹部４５は前後方向に関しては、上翼板本体４１の上面の一端から引手取付柱８よりも他端側へ向かって延長するものである。図では引手取付柱８の前端と上翼板本体４１の前端との間から上翼板本体４１の上面の後端までの範囲に亘って形成されている。また引手用凹部４５は左右方向に関しては、一対の引手取付柱８，８の間隔Ｗ１の全長に亘って形成されている。なお引手用凹部４５は図５に示すように上下方向に関しては、軸用凹部４４の上面よりも下側で、且つ平面部４３ａの上面よりも上側に位置する。また引手用凹部４５は水平面に形成され、この上に後側に倒伏した状態の引手本体３２が載り、引手３の揺動範囲の後側の限界位置を定める。いっぽう引手３の揺動範囲の前側の限界範囲を定めるのがストッパー部４６である。
【００３８】
ストッパー部４６は図３，５に示すように、引手用凹部４５の上面のうち左右端部の前部から上方に突出すると共に、前柱８１の左右側面の内側面（引手用凹部４５側の側面）から側方に突出している。しかも一対のストッパー部４６，４６は左右対称に形成されていることから、一対の引手取付柱８，８の対向面から左右中央側へ一対のストッパー部４６，４６が突出していることになる。一対のストッパー部４６，４６は図５（ｃ）に示すように、前側に倒伏した状態の引手本体３２の左右の側面３２ｃ、３２ｃに載り、引手３の揺動範囲の前側の限界位置を定める。より詳しく言えば、一対のストッパー部４６，４６は引手本体３２の一対の側面３２ｃ、３２ｃの角部３２ｃ１に点接触する。
【００３９】
上記した第一実施形態のスライダーＳは、組立前の状態では図３に示すように、一対の前柱８１と後柱８２との間が軸挿入溝８３となり、軸挿入溝８３の前後間隔のうち最も狭い間隔が一対の前柱８１と後柱８２の下端同士の間隔、つまり軸用凹部４４とバネ用凹部４３の縦幅Ｌ２となる。また一対の引手取付柱８，８の下端よりも上側での前後間隔は縦幅Ｌ２と同じか、それよりも広くなる。そして縦幅Ｌ２よりも軸３１の直径と板バネ２の縦幅Ｌ１は短いので、上方から一対の引手取付柱８，８の間に軸３１と板バネ２を容易に通して、板バネ２をバネ用凹部４３に、軸３１を軸用凹部４４に容易に載せることができる。その後、前柱８１と後柱８２との上部を加締めて近接するように塑性変形させれば、Ｕ字状の軸挿入溝８３が環状の軸孔８４となり、前柱８１と後柱８２との上部が軸３１の左右の一端部を離脱不能に保持する。また前柱８１と後柱８２の下端部同士の前後の対向面がバネ用凹部４３の前後面の一部を形成するので、バネ用凹部４３が無い構造に比べれば、前柱８１と後柱８２の強度が弱くなり、前柱８１と後柱８２との上部を互いに接近するように塑性変形させ易くなる。しかも前柱８１と後柱８２の下端部同士の前後の対向面がその左右長の全長に亘って凹んでいる（バネ用凹部４３と軸用凹部４４によって凹んでいる）ので、前後の対向面側の全高がバネ用凹部４３の分だけ長くなり、前柱８１と後柱８２との上部を互いに接近するように塑性変形させ易くなる。
【００４０】
このようにして組み立てたスライダーＳは、以下の効果を有する。バネ用凹部４３が左右端部に一対の平面部４３ａ，４３ａを、左右中央部に湾曲部４３ｂを備えるので、板バネ２の左右端部が一対の平面部４３ａ，４３ａに載ることになり、板バネ２が安定し、外れ難くなる。しかも軸３１の真下に板バネ２がその横幅全長に亘って位置することから、平面視すると板バネ２が殆ど見えず、外観が良好なものとなる。また引手３を後方に倒伏させると、板バネ２の前後中央部に引手３のカム３３が上から接触または近接する。接触するか近接するかは、スライダーＳの部品の寸法精度による。また接触形態は、二通りある。第一の接触形態は、カム３３が板バネ２をその厚み方向にわずかに弾性変形させる場合である。第二の接触形態は、板バネをその厚み方向に全く弾性変形させることなく、単に接している場合である。第一の接触形態の場合、板バネ２の復元力によってカム３３ひいては引手３が上方へ押し上げられ、引手本体３２の一部と引手用凹部４５とが面接触する。第二の接触形態の場合および近接形態の場合、板バネ２の復元力は得られないが、引手本体３２の平面部３２ａの一部と台座部４５とが面接触する。接触形態および近接形態のいずれの場合でも、引手用凹部４５に引手３を安定して載せることができ、しかも引手用凹部４５の深さぶんだけ引手３を低く保持できる。
【００４１】
またスライドファスナーのエレメント列を分離させるために、引手２を少し上方へ回して後方に傾斜させた状態でスライダーＳを使用したとき、図７に示すように板バネ２は、カム３３によって押され、弾性変形する。そしてバネ用凹部４３と板バネ２を一対の軸孔８４，８４の内部に達するように左右に延長しているので、たとえば一対の引手取付柱８，８の間隔Ｗ１よりもバネ用凹部と板バネの横幅を短くしたスライダーに比べれば、板バネ２の横幅を長くでき、板バネ２が弾性変形し易くなる。しかも軸用凹部４４の底である上面をバネ用凹部４３に載せた板バネ２の上面よりも高く設定してあるので、板バネ２と軸３１との間に上下間隔ができる。そうすると引手３はカム３３だけが板バネ２に接触することになり、カム３３が板バネ２に接触したときの板バネ２の弾性変形を軸３１が邪魔しない。したがって板バネ２が弾性変形し易くなる。そのうえバネ用凹部４３内に板バネ２を前後に隙間のある状態で収容するので、板バネ２が弾性変形し易くなる。
【００４２】
また引手３を前方へ回すと、一対のストッパー部４６，４６と引手本体３２とが衝突して、引手３の前方への揺動が阻止される。また一対のストッパー部４６，４６の上端部と引手本体３２の左右側面３２ｃ，３２ｃの角部３２ｃ１，３２ｃ１とが点接触する。そして点接触によって生じる傷は、引手本体３２の左右側面３２ｃ，３２ｃ、しかも一対の角部３２ｃ１，３２ｃ１なので、引手本体３２の外観に与える影響を小さくできる。なおストッパー部４６は引手取付柱８の側面に支えられているので、破損しづらい。
【００４３】
本発明の第一実施形態のスライダーの第一変形例に使用するスライダー胴体１は図８に示すように、凹部４２がバネ用凹部４３と引手用凹部４５だけで構成され、軸用凹部４４が無い点において、第一実施形態で用いたスライダー胴体１と相違する。
【００４４】
バネ用凹部４３のうち一対をなす平面部４３ａ，４３ａの左右方向の内側端と外側端は、いずれも一対の引手取付柱８，８の左右側面のうち外面よりも外側に位置している。したがってバネ用凹部４３は、一対の軸挿入溝８３，８３（軸孔）よりも左右外側にまで延長している。また一対をなす平面部４３ａ，４３ａの左右方向の外側端は、上翼板本体４１の左右両端よりも内側に位置している。
【００４５】
このスライダー胴体１によれば、板バネ２にバネ用凹部４３よりも僅かに小さなもの（一対の軸挿入溝８３，８３よりも左右外側にまで延長するもの）を用いると、板バネ２の左右長（横幅）が第一実施形態の板バネ２よりも長くなり、その長さの分だけ板バネ２を弾性変性させ易くなる。なおこの場合、板バネ２の上に引手３の軸３１が載って接触する状態になる。
【００４６】
本発明の第一実施形態のスライダーの第二変形例に使用するスライダー胴体１は図９に示すように、各引手取付柱８の下端部の前後に溝部４１ａを備えている点において、第一変形例に使用するスライダー胴体１と相違する。
【００４７】
溝部４１ａは上翼板本体４１の上面に合計４つ形成されている。たとえば１つの溝部４１ａは、左側の後柱８２の後面の下端に隣接して後柱８２の幅全長に亘って形成されている。他の３つの溝部４１ａも、左右の前柱８１及び右側の後柱８２に同様に形成されている。これら溝部４１ａによって引手取付柱８の前後面の全高が溝部４１ａのない場合に比べて高くなり、軸３１を取り付ける際に前柱８１と後柱８２の上端部を塑性変形させ易くなる。
【００４８】
なおバネ用凹部４３のうち一対をなす平面部４３ａ，４３ａの左右方向の内側端は、一対の軸挿入溝８３，８３（軸孔）の内部に位置している。また一対をなす平面部４３ａ，４３ａの左右方向の外側端は、一対の軸挿入溝８３，８３よりも左右外側で、且つ上翼板本体４１の左右両端よりも内側に位置している。
【００４９】
本発明は上記実施形態とその変形例に限定されるものではなく、その趣旨を逸脱しない範囲において適宜変更可能である。例えば凹部４２は、弾性体用凹部４３と軸用凹部４４と引手用凹部４５のうち少なくとも弾性体用凹部４３を備えるものであれば良い。
【符号の説明】
【００５０】
Ｓ  スライダー
１  スライダー胴体
１１  エレメント通路
１２  テープ溝
２  弾性体（板バネ）
３  引手
３１  軸
３２  引手本体
３２ａ  厚み方向の一面
３２ｂ  厚み方向の他面
３２ｃ  短辺方向を向く面（側面）
３２ｃ１  角部
３３  カム
４  上翼板
４１  上翼板本体
４１ａ  溝部
４２  凹部
４３  弾性体用凹部（バネ用凹部）
４３ａ  平面部
４３ｂ  湾曲許容部
４４  軸用凹部
４４ａ  載置部
４５  引手用凹部
Ｗ１  一対の引手取付柱の間隔
Ｗ２  上翼板本体の横幅
Ｗ３  軸用凹部とバネ用凹部の全体としての横幅
Ｌ１  板バネの前後長（縦幅）
Ｌ２  バネ用凹部の前後長（縦幅）
４６  ストッパー部
５  下翼板
６  連結柱
７  フランジ
８  引手取付柱
８１  前柱
８２  後柱
８３  軸挿入溝
８４  軸孔
【図１】
2017055937.tif 000003
【図２】
2017055937.tif 000004
【図３】
2017055937.tif 000005
【図４】
2017055937.tif 000006
【図５】
2017055937.tif 000007
【図６】
2017055937.tif 000008
【図７】
2017055937.tif 000009
【図８】
2017055937.tif 000010
【図９】
2017055937.tif 000011